(57)【要約】【課題】  ＦＡＸ通信を行う場合の機密性と高利便性を同時に実現可能にする。【解決手段】  通信装置１０では、送信すべき画像データをＴ．４準拠の方式で符号化し、１ページ毎に一次元符号化部と二次元符号化部とに２分割して、それぞれ第１の記憶部，第２の記憶部に記憶する。その後、通信要求時に受け付けたアナログＦＡＸ用の電話番号（通信装置３０）に対して、一次元符号化部を１ページ分の画像データとしてアナログＦＡＸ通信で送信すると共に、ＩＰ−ＦＡＸ用の宛先情報（通信装置３０）に対して、二次元符号化部を１ページ分の画像データとしてＩＰ−ＦＡＸ通信で送信する。通信装置３０では、送信機１０からの一次元符号化部を受信して第１の記憶部に記憶すると共に、送信機１からの二次元符号化部を受信して第２の記憶部に記憶する。そして、受信した２つの符号化部を結合し、復号化する。【選択図】        図１
2010141614.tif 000002
【特許請求の範囲】
【請求項１】
電話回線およびＩＰネットワークに接続され、アナログファクシミリ通信とＩＰファクシミリ通信とが可能な通信装置であって、
画像データをＩＴＵ−Ｔ勧告Ｔ．４に準拠した方式で符号化する符号化手段と、
該符号化手段によって符号化された１ページ分の画像データを一次元符号化ラインの画像データと二次元符号化ラインの画像データとに２分割する分割手段と、
該分割手段によって分割された一次元符号化ラインの画像データを記憶する第１の記憶手段と、
前記分割手段によって分割された二次元符号化ラインの画像データを記憶する第２の記憶手段と、
外部操作による通信要求時に、宛先情報としてアナログファクシミリ用の電話番号とＩＰファクシミリ用の宛先情報とを受け付ける宛先情報受付手段と、
該宛先情報受付手段によって受け付けた前記アナログファクシミリ用の電話番号に対し、前記分割された一方の画像データを１ページ分の画像データとしてアナログファクシミリ通信によって送信するアナログファクシミリ送信手段と、
前記宛先情報受付手段によって受け付けた前記ＩＰファクシミリ用の宛先情報に対し、前記分割された他方の画像データを１ページ分の画像データとしてＩＰファクシミリ通信によって送信するＩＰファクシミリ送信手段とを設けたことを特徴とする通信装置。
【請求項２】
請求項１に記載の通信装置と通信する通信装置であって、
ＩＴＵ−Ｔ勧告Ｔ．４に準拠した方式で符号化された画像データをアナログファクシミリ通信によって受信するアナログファクシミリ受信手段と、
ＩＴＵ−Ｔ勧告Ｔ．４に準拠した方式で符号化された画像データをＩＰファクシミリ通信によって受信するＩＰファクシミリ受信手段と、
前記アナログファクシミリ受信手段によって受信した１ページ当たりの画像データを記憶する第１の記憶手段と、
前記ＩＰファクシミリ受信手段によって受信した１ページ当たりの画像データを記憶する第２の記憶手段と、
前記アナログファクシミリ受信手段および前記ＩＰファクシミリ受信手段によって受信した２つの符号化された画像データを１つのページデータに結合する結合手段と、
該結合手段によって結合された画像データを復号化する復号化手段とを設けたことを特徴とする通信装置。
【請求項３】
請求項２に記載の通信装置において、
前記復号化手段による前記結合された１ページ分の画像データの復号化が完了した後、前記アナログファクシミリ通信と前記ＩＰファクシミリ通信の両方で同期して、送信側の通信装置に対して次のページの画像データを要求するデータ要求手段を設けたことを特徴とする通信装置。
【請求項４】
請求項３に記載の通信装置において、
前記復号化手段による前記結合された画像データの復号化で復号化エラーを検出する復号化エラー検出手段と、
該復号化エラー検出手段によって前記結合された画像データ中の一次元符号化部分の復号化で復号化エラーを検出した場合は、該一次元符号化部分を含むページの画像データの再送信を送信側の通信装置に対して前記アナログファクシミリ通信によって要求する第１の再送信要求手段と、
前記復号化エラー検出手段によって前記結合された画像データ中の二次元符号化部分の復号化で復号化エラーを検出した場合は、該二次元符号化部分を含むページの画像データの再送信を送信側の通信装置に対して前記ＩＰファクシミリ通信によって要求する第２の再送信要求手段とを設けたことを特徴とする通信装置。
【請求項５】
請求項１に記載の通信装置において、
前記ＩＰファクシミリ送信手段は、前記ＩＰファクシミリ通信によって送信する画像データのページ番号とＩＴＵ−Ｔ勧告Ｈ．２２５に準拠した論理チャネル番号とを対応付ける手段を有し、該画像データを任意の順番で送信する手段であることを特徴とする通信装置。
【請求項６】
請求項２記載の通信装置において、
前記ＩＰファクシミリ受信手段は、前記ＩＰファクシミリ通信によって受信する画像データのページ番号とＩＴＵ−Ｔ勧告Ｈ．２２５に準拠した論理チャネル番号とを対応付ける手段を有することを特徴とする通信装置。
【請求項７】
請求項１又は５に記載の通信装置において、
前記符号化手段は、画像データをＭＭＲ方式で符号化する手段であり、
前記分割手段は、前記符号化手段によって符号化された１ページ分の画像データを先頭ラインである一次元符号化ラインの画像データと残りのラインである二次元符号化ラインの画像データとに２分割する手段であり、
前記アナログファクシミリ送信手段は、前記分割された一次元符号化ラインの画像データを１ページ分の画像データとしてアナログファクシミリ通信によって送信する手段であり、
前記ＩＰファクシミリ送信手段は、前記分割された二次元符号化ラインの画像データを１ページ分の画像データとしてＩＰファクシミリ通信によって送信する手段であることを特徴とする通信装置。
【請求項８】
請求項２乃至４，６のいずれか一項に記載の通信装置において、
前記結合手段は、前記アナログファクシミリ受信手段および前記ＩＰファクシミリ受信手段によって受信した２つのＭＭＲで符号化された画像データを１つのページデータに結合する手段であることを特徴とする通信装置。
【請求項９】
請求項１又は５に記載の通信装置において、
前記符号化手段は、画像データをＭＲ方式で符号化する手段であり、
前記分割手段は、前記符号化手段によって符号化された１ページ分の画像データを一次元符号化ラインのみをまとめた画像データと二次元符号化ラインのみをまとめた画像データとに２分割する手段であり、
前記アナログファクシミリ送信手段は、前記分割された一次元符号化ラインのみをまとめた画像データを１ページ分の画像データとしてアナログファクシミリ通信によって送信する手段であり、
前記ＩＰファクシミリ送信手段は、前記分割された二次元符号化ラインのみをまとめた画像データを１ページ分の画像データとしてＩＰファクシミリ通信によって送信する手段であることを特徴とする通信装置。
【請求項１０】
請求項２乃至４，６のいずれか一項に記載の通信装置において、
前記結合手段は、前記アナログファクシミリ受信手段によって受信した一次元符号化ラインのみをまとめた画像データと前記ＩＰファクシミリ受信手段によって受信した二次元符号化ラインのみをまとめた画像データとを１つのページデータに結合する手段であることを特徴とする通信装置。
【請求項１１】
請求項１，５，又は９に記載の通信装置において、
前記アナログファクシミリ送信手段は、前記ＩＰファクシミリ送信手段による送信終了を待たずに、全ページ分の画像データの送信が完了した時点で、該送信を終了して電話回線を開放する手段を有することを特徴とする通信装置。
【発明の詳細な説明】
【技術分野】
【０００１】
この発明は、電話回線およびＩＰネットワークに接続され、アナログファクシミリ（以下「ファクシミリ」を「ＦＡＸ」ともいう）通信とＩＰファクシミリ通信とが可能なＩＴＵ−Ｔ勧告Ｔ．４に準拠した通信装置（ネットワーク通信端末装置）に関する。
【背景技術】
【０００２】
近年、ＩＰネットワーク（ＩＰ網）を使ったサービスが発展している一方で、悪意のある第三者によるＩＰネットワーク上のデータの盗聴等により、ＩＰネットワークのセキュリティの脆弱性も取りざたされている。つまり、ＩＰネットワークを用いるＩＰファクシミリ通信機能は、従来型の電話回線（ＰＳＴＮ）を用いるアナログファクシミリ通信機能の代替手段として使用されている技術で、高速通信や通信費無料といった長所を持つが、セキュリティは電話を用いるアナログファクシミリ通信機能と比較すると大きく劣るという短所がある。
【０００３】
そこで、公衆網（電話回線）に接続し、公衆網を介してアナログファクシミリ通信を行うアナログファクシミリ通信機能と、ＩＰ網（ＩＰネットワーク）に接続し、ＩＰ網を介してＩＰファクシミリ通信を行うＩＰファクシミリ通信機能とを備え、その各ファクシミリ通信機能のうち、ファクシミリ送信時に利用可能なファクシミリ通信機能を選択するようにしたファクシミリ装置が提案されている（例えば特許文献１参照）。
【特許文献１】特開２００５−２０４００４号公報
【発明の開示】
【発明が解決しようとする課題】
【０００４】
しかしながら、特許文献１記載のファクシミリ装置のように、いずれか一方のファクシミリ通信機能を選択してファクシミリ通信を行うのでは、高機密性（高セキュリティ）と高利便性（高速通信および低通信費）を実現することはできない。
この発明は、上記の点に鑑みてなされたものであり、アナログファクシミリ通信とＩＰファクシミリ通信の両通信の長所を活かすことにより、機密性と高利便性を同時に実現可能にすることを目的とする。
【課題を解決するための手段】
【０００５】
この発明は、上記の目的を達成するため、以下の（１）〜（１１）に示す通信装置を提供する。
（１）電話回線およびＩＰネットワークに接続され、アナログファクシミリ通信とＩＰファクシミリ通信とが可能な通信装置であって、画像データをＩＴＵ−Ｔ勧告Ｔ．４に準拠した方式で符号化する符号化手段と、該符号化手段によって符号化された１ページ分の画像データを一次元符号化ラインの画像データと二次元符号化ラインの画像データとに２分割する分割手段と、該分割手段によって分割された一次元符号化ラインの画像データを記憶する第１の記憶手段と、上記分割手段によって分割された二次元符号化ラインの画像データを記憶する第２の記憶手段と、外部操作による通信要求時に、宛先情報としてアナログファクシミリ用の電話番号とＩＰファクシミリ用の宛先情報とを受け付ける宛先情報受付手段と、該宛先情報受付手段によって受け付けた上記アナログファクシミリ用の電話番号に対し、上記分割された一方の画像データを１ページ分の画像データとしてアナログファクシミリ通信によって送信するアナログファクシミリ送信手段と、上記宛先情報受付手段によって受け付けた上記ＩＰファクシミリ用の宛先情報に対し、上記分割された他方の画像データを１ページ分の画像データとしてＩＰファクシミリ通信によって送信するＩＰファクシミリ送信手段とを設けたものである。
【０００６】
（２）（１）に示した通信装置と通信する通信装置であって、ＩＴＵ−Ｔ勧告Ｔ．４に準拠した方式で符号化された画像データをアナログファクシミリ通信によって受信するアナログファクシミリ受信手段と、ＩＴＵ−Ｔ勧告Ｔ．４に準拠した方式で符号化された画像データをＩＰファクシミリ通信によって受信するＩＰファクシミリ受信手段と、上記アナログファクシミリ受信手段によって受信した１ページ当たりの画像データを記憶する第１の記憶手段と、上記ＩＰファクシミリ受信手段によって受信した１ページ当たりの画像データを記憶する第２の記憶手段と、上記アナログファクシミリ受信手段および上記ＩＰファクシミリ受信手段によって受信した２つの符号化された画像データを１つのページデータに結合する結合手段と、該結合手段によって結合された画像データを復号化する復号化手段とを設けたものである。
【０００７】
（３）（２）に示した通信装置において、上記復号化手段による上記結合された１ページ分の画像データの復号化が完了した後、上記アナログファクシミリ通信と上記ＩＰファクシミリ通信の両方で同期して、送信側の通信装置に対して次のページの画像データを要求するデータ要求手段を設けたものである。
【０００８】
（４）（３）に示した通信装置において、上記復号化手段による上記結合された画像データの復号化で復号化エラーを検出する復号化エラー検出手段と、該復号化エラー検出手段によって上記結合された画像データ中の一次元符号化部分の復号化で復号化エラーを検出した場合は、該一次元符号化部分を含むページの画像データの再送信を送信側の通信装置に対して上記アナログファクシミリ通信によって要求する第１の再送信要求手段と、上記復号化エラー検出手段によって上記結合された画像データ中の二次元符号化部分の復号化で復号化エラーを検出した場合は、該二次元符号化部分を含むページの画像データの再送信を送信側の通信装置に対して上記ＩＰファクシミリ通信によって要求する第２の再送信要求手段とを設けたものである。
【０００９】
（５）（１）に示した通信装置において、上記ＩＰファクシミリ送信手段が、上記ＩＰファクシミリ通信によって送信する画像データのページ番号とＩＴＵ−Ｔ勧告Ｈ．２２５に準拠した論理チャネル番号とを対応付ける手段を備え、該画像データを任意の順番で送信する手段としたものである。
（６）（２）に示した通信装置において、上記ＩＰファクシミリ受信手段に、上記ＩＰファクシミリ通信によって受信する画像データのページ番号とＩＴＵ−Ｔ勧告Ｈ．２２５に準拠した論理チャネル番号とを対応付ける手段を備えたものである。
【００１０】
（７）（１）又は（５）に示した通信装置において、上記符号化手段を、画像データをＭＭＲ方式で符号化する手段とし、上記分割手段を、上記符号化手段によって符号化された１ページ分の画像データを先頭ラインである一次元符号化ラインの画像データと残りのラインである二次元符号化ラインの画像データとに２分割する手段とし、上記アナログファクシミリ送信手段を、上記分割された一次元符号化ラインの画像データを１ページ分の画像データとしてアナログファクシミリ通信によって送信する手段とし、上記ＩＰファクシミリ送信手段を、上記分割された二次元符号化ラインの画像データを１ページ分の画像データとしてＩＰファクシミリ通信によって送信する手段としたものである。
【００１１】
（８）（２）〜（４），（６）のいずれかに示した通信装置において、上記結合手段を、上記アナログファクシミリ受信手段および上記ＩＰファクシミリ受信手段によって受信した２つのＭＭＲで符号化された画像データを１つのページデータに結合する手段としたものである。
【００１２】
（９）（１）又は（５）に示した通信装置において、上記符号化手段を、画像データをＭＲ方式で符号化する手段とし、上記分割手段を、上記符号化手段によって符号化された１ページ分の画像データを一次元符号化ラインのみをまとめた画像データと二次元符号化ラインのみをまとめた画像データとに２分割する手段とし、上記アナログファクシミリ送信手段を、上記分割された一次元符号化ラインのみをまとめた画像データを１ページ分の画像データとしてアナログファクシミリ通信によって送信する手段とし、上記ＩＰファクシミリ送信手段を、上記分割された二次元符号化ラインのみをまとめた画像データを１ページ分の画像データとしてＩＰファクシミリ通信によって送信する手段としたものである。
【００１３】
（１０）（２）〜（４），（６）のいずれかに示した通信装置において、上記結合手段を、上記アナログファクシミリ受信手段によって受信した一次元符号化ラインのみをまとめた画像データと上記ＩＰファクシミリ受信手段によって受信した二次元符号化ラインのみをまとめた画像データとを１つのページデータに結合する手段としたものである。
（１１）（１），（５），又は（９）に示した通信装置において、上記アナログファクシミリ送信手段に、上記ＩＰファクシミリ送信手段による送信終了を待たずに、全ページ分の画像データの送信が完了した時点で、該送信を終了して電話回線を開放する手段を備えたものである。
【発明の効果】
【００１４】
この発明によれば、アナログファクシミリ通信とＩＰファクシミリ通信の両通信を同時に使用可能にして、その両通信の長所を活かすようにしたので、ＩＰファクシミリ通信による利便性を保ちつつ、アナログＦＡＸ通信による機密性を保持することができる。つまり、高機密性（高セキュリティ）と高利便性（高速通信および低通信費）を同時に実現することができる。
【発明を実施するための最良の形態】
【００１５】
以下、この発明を実施するための最良の形態を図面に基づいて具体的に説明する。
まず、この発明による通信装置の一実施形態を説明する前に、使用する用語を説明した上で、この発明の概要について図１〜図８を参照して説明しておく。
【００１６】
まず、使用する用語を説明する。
ＩＴＵ−Ｔ勧告Ｔ．４（以下単に「Ｔ．４」ともいう）は、後述するＭＭＲ方式，ＭＲ方式等の符号化方式や、画像データの送受信における誤り訂正モード（ＥＣＭ）を定める勧告である。
ＭＭＲ方式，ＭＲ方式は、Ｔ．４で規定されている符号化方式である。その詳細は、後で図２によって説明する。
【００１７】
ＥＣＭ（Error Collection Mode）と非ＥＣＭは、画像データを送受信する方法を示す。そのうち、非ＥＣＭはＩＴＵ−Ｔ勧告Ｔ．３０（以下単に「Ｔ．３０」ともいう）で定められる画像データの送信方式で、全てのＦＡＸがサポートする最も簡素な方式である。この方式では、送受信する画像データの最小単位を「ページ単位」で扱い、復号化エラー等で再送信が発生する場合も、その単位は「ページ単位」となる。
【００１８】
ＥＣＭ（誤り訂正モード）は、Ｔ．４で定められる画像データの送信方式で、この方式はオプションである（サポートしないＦＡＸもある）。この方式では、送受信する画像データは、「フレーム」と呼ばれる最大２５６Ｂｙｔｅのデータの固まりにして扱う。受信機側が受信した画像データのエラーを検出した場合、フレーム番号を指定しての再送信になり、「フレーム単位」での再送信になる。
【００１９】
Ｔ．３０は、ＦＡＸにおける送信機と受信機との間の手続きを示した勧告である。この勧告では、双方の機器の能力の交換から画像データの送信モードの決定、そして画像データの再送手続き等を取り決めている。
ＩＴＵ−Ｔ勧告Ｔ．３８（以下単に「Ｔ．３８」ともいう）は、Ｔ．３０で定められた手続きの信号を、ＩＰネットワーク上の端末間（送信機と受信機）でやり取りする方法を定めたものである。Ｔ．３０で定める情報をパケット化する方法や、ＩＰネットワーク固有の遅延問題に対応する方式等が定められている。
【００２０】
ＩＴＵ−Ｔ勧告Ｈ．２４５（以下単に「Ｈ．２４５」ともいう）は、メディアデータ（音声，画像，ビデオデータ）をＩＰネットワーク上でやり取りするための手続きを定めたものである。この勧告では、端末間（送信機と受信機）でメディアの送受信用のセッション（パイプのようなもの）を接続するまでの基本的な手続きから、音声の保留や転送などの拡張機能が定められている。
【００２１】
ＩＴＵ−Ｔ勧告Ｈ．３２３（以下単に「Ｈ．３２３」ともいう）は、Ｈ．２４５からオプション的な内容を省き、メディアデータをやり取りに関する基本的な手続きだけをまとめたものである。
ＩＴＵ−Ｔ勧告Ｈ．２２５（以下単に「Ｈ．２２５」ともいう）は、Ｈ．２４５，Ｈ．３２３の手続きの中で使用するメッセージを定めたものである。論理チャネル番号も、このメッセージが含む情報の一つとして定められている。
【００２２】
図１は、この発明の概要を説明するための概念図である。
この発明による２台の各通信装置１０，３０は、それぞれ電話回線網（アナログ回線網）１およびＩＰネットワーク２に接続され、アナログＦＡＸ（アナログファクシミリ）通信とＩＰ−ＦＡＸ（ＩＰファクシミリ）通信とが可能な通信装置である。
一方の通信装置（以下「送信機」という）１０では、外部操作による発呼要求（通信要求）時に、宛先情報としてアナログＦＡＸ用の電話番号（例えば「０３−０ｘｘｘ−３３３３」）とＩＰ−ＦＡＸ用の宛先情報（例えば「０３−９ｘｘｘ−１２３４」）とを受け付ける。
【００２３】
そして、送信すべき画像データ（例えばスキャナ等の画像読取手段によって原稿から読み取った画像データ）をＴ．４に準拠した方式で符号化し、その符号化した画像データを１ページ毎に一次元符号化ラインの画像データと二次元符号化ラインの画像データとに２分割して、それぞれ第１の記憶部（第１の記憶手段），第２の記憶部（第２の記憶手段）に記憶する。
その後、先に受け付けたアナログＦＡＸ用の電話番号（つまり通信装置３０）に対して、上記分割した一次元符号化ラインの画像データを１ページ分の画像データとしてアナログＦＡＸ通信によって送信すると共に、ＩＰ−ＦＡＸ用の宛先情報（つまり通信装置３０）に対して、上記分割した二次元符号化ラインの画像データを１ページ分の画像データとしてＩＰ−ＦＡＸ通信によって送信する。
【００２４】
他方の通信装置（以下「受信機」という）３０では、送信機１０から送られてくる一次元符号化ラインの画像データ（Ｔ．４に準拠した方式で符号化された画像データ）をアナログファクシミリ通信によって受信して第１の記憶部（第１の記憶手段）に記憶すると共に、送信機１０から送られてくる二次元符号化ラインの画像データ（Ｔ．４に準拠した方式で符号化された画像データ）をＩＰファクシミリ通信によって受信して第２の記憶部（第２の記憶手段）に記憶する。そして、受信した２つの符号化された画像データを１つのページデータに結合し、復号化する。
【００２５】
図２は、Ｔ．４に準拠した方式であるＭＭＲ方式およびＭＲ方式による画像データの符号化と復号化を説明するための図である。
ＭＭＲ方式で符号化した画像データは、図２の（ａ）に示すように、先頭ライン（１ライン目）だけが一次元符号化ラインとなり、残りのラインが二次元符号化ラインとなる。
先頭ラインである一次元符号化ラインの画像データは、それ単体で復号化できる。この先頭ラインは、直後に続くラインの起点であり、参照される。
【００２６】
２ライン目以降の二次元符号化ラインの画像データは、直前の復号化したラインの画像データに基づいて復号化できる。二次元符号化ラインの画像データ単体では、復号化はできない。
二次元符号化は、一次元符号化よりも圧縮率が高い。
ＭＲ方式で符号化した画像データは、図２の（ｂ）に示すように、Ｋ（任意の整数）ライン周期で一次元符号化ラインの画像データが入る。そのＫライン周期をＫパラメタと呼び、一般的には「４」又は「２」である。
【００２７】
図３は、Ｔ．４に準拠した方式の一つであるＭＭＲ方式によって符号化した画像データの分割と結合を説明するための図である。
送信機１０では、図３の（ａ）に示すように、１ページ分の画像データ（生画像）をＭＭＲ方式で符号化した場合、その画像データを同図の（ｂ）に示すように、先頭ラインである一次元符号化ラインの画像データと残りのラインである二次元符号化ラインの画像データとに２分割する。
受信機３０では、図３の（ｃ）に示すように、送信機１０から受信したＭＭＲ方式で符号化された一次元符号化ラインの画像データとＭＭＲ方式で符号化された二次元符号化ラインの画像データとを１つのページデータに結合し、復号化する。
【００２８】
図４は、Ｔ．４に準拠した方式の一つであるＭＲ方式によって符号化した画像データの分割と結合を説明するための図である。
送信機１０では、図４の（ａ）に示すように、１ページ分の画像データ（生画像）をＭＲ方式で符号化した場合、その画像データを同図の（ｂ）に示すように、Ｋパラメタ（この例では「４」）を用い、一次元符号化ラインのみをまとめた画像データと二次元符号化ラインのみをまとめた画像データとに２分割する。
【００２９】
受信機３０では、図４の（ｃ）に示すように、Ｋパラメタ「４」を用い、送信機１０から受信したＭＲ方式で符号化された一次元符号化ラインの画像データとＭＲ方式で符号化された二次元符号化ラインの画像データとを１つのページデータに結合し、復号化する。
なお、送信機１０で使用したＫパラメタを受信機３０でも使用可能にする場合には、送信機１０から受信機３０へＫパラメタを通知する必要があるが、その通知はＴ．３０に準拠したネゴシエーションの中で行われる。
【００３０】
図５は、図１の送信機１０が上述したアナログＦＡＸ通信およびＩＰ−ＦＡＸ通信の両方で同期して複数ページ（この例では２ページ）の画像データをページ毎に受信機３０へ送信する場合の通信シーケンスの一例を示す図である。
受信機３０では、上述したように送信機１０からアナログＦＡＸ通信とＩＰ−ＦＡＸ通信の両方によって受信した一次元符号化ラインと二次元符号化ラインの各画像データ（最初は１ページ目の画像データ）を１つのページデータに結合し、復号化する処理を完了した（結合した１ページ分の画像データの復号化を完了した）後、次の処理を行う。
【００３１】
すなわち、アナログＦＡＸ通信とＩＰ−ＦＡＸ通信の両方で同期して、送信機１０に対して次のページの画像データを要求する。
通信装置１では、その要求を受けると、２ページ目の一次元符号化ラインの画像データを１ページ分の画像データとしてアナログＦＡＸ通信によって、２ページ目の二次元符号化ラインの画像データを１ページ分の画像データとしてＩＰ−ＦＡＸ通信によってそれぞれ受信機３０へ送信する。
【００３２】
図６は、図１の送信機１０が受信機３０で復号化エラーが発生した場合に同一の画像データを受信機３０へ再送信する場合の通信シーケンスの一例を示す図である。
受信機３０では、上述したように送信機１０からアナログＦＡＸ通信とＩＰ−ＦＡＸ通信の両方によって受信した一次元符号化ラインと二次元符号化ラインの各画像データ（１ページ目の画像データとする）とを１つのページデータに結合し、復号化する処理を実行中に、その一次元符号化部分（二次元符号化部分でもよい）の復号化で復号化エラーを検出した場合に、その一次元符号化部分を含むページの画像データの再送信を送信機１０に対してアナログＦＡＸ通信によって要求する。
【００３３】
送信機１０では、その要求を受けると、再び１ページ目の一次元符号化ラインの画像データを１ページ分の画像データとしてアナログＦＡＸ通信によって受信機３０へ送信する。
それによって、受信機３０では、送信機１０から再度アナログＦＡＸ通信によって受信した一次元符号化ラインの画像データと送信機１０から先にＩＰ−ＦＡＸ通信によって受信した二次元符号化ラインの各画像データとを１つのページデータに結合し、復号化する処理を実行する。
そして、復号化する処理が完了（成功）すれば、上述と同様に、アナログＦＡＸ通信とＩＰ−ＦＡＸ通信の両方で同期して、送信機１０に対して次のページの画像データを要求するとよい。
【００３４】
図７は、図１の送信機１０がＩＰ−ＦＡＸ通信によって送信する画像データのページ番号とＨ．２２５に準拠した論理チャネル番号との対応付けを説明するための図である。
送信機１０では、複数ページの画像データをＩＰ−ＦＡＸ通信によって送信する場合、画像データのページ番号とＨ．２２５に準拠した論理チャネル番号とを対応付けることにより、そのページの画像データを任意の順番で送信することができる。
【００３５】
次に、この発明による通信装置の一実施形態である２台のＭＦＰ（複合機）の構成について、図８，図９を参照して説明する。なお、説明の便宜上、２台のＭＦＰの一方を「送信機」、他方を「受信機」という。その送信機と受信機の後述する両機能を統合し、１台のＭＦＰに備えることも勿論できる。
【００３６】
〔送信機の構成〕
図８は送信機の構成例を示すブロック図であり、図１と対応する部分には同一符号を付している。
この送信機１０は、システム制御部１１，スキャナ１２，プロッタ１３，操作表示部１４，第１の記憶部１５，第２の記憶部１６，第３の記憶部１７，網制御装置１８，ネットワーク制御装置１９，符号化復号部２０とを備え、それらをバス２５によって接続している。
【００３７】
システム制御部１１は、送信機１０全体を制御するマイクロコンピュータ（ＣＰＵ，ＲＯＭ，ＲＡＭ等からなる）であり、所定のＦＡＸ通信の制御と、後述するこの発明に関わる制御を行う。
このシステム制御部１１（マイクロコンピュータ）を構成するＣＰＵが、ＲＯＭおよびＲＡＭ内のプログラムを実行し、網制御装置１８，ネットワーク制御装置１９，符号化復号部２０を含む機器を制御することにより、この発明に関わる分割手段，宛先情報受付手段，アナログファクシミリ送信手段，およびＩＰファクシミリ送信手段としての機能を果す。
【００３８】
スキャナ１２は、原稿の画像を画像データとして読み取るものである。
プロッタ１３は、画像データに基づいて画像を記録紙に記録（印刷）するものである。
操作表示部１４は、機器の動作状態を表示する一方、オペレータが各種操作を行うものである。
第１の記憶部１５は、一次元符号化した１ページ当たりの画像データを記憶する記憶部（第１の記憶手段）である。
【００３９】
第２の記憶部１６は、二次元符号化した１ページ当たりの画像データを記憶する記憶部（第２の記憶手段）である。
第３の記憶部１７は、ＭＲ符号化で使用するＫパラメタ値を記憶する記憶部である。そのＫパラメタは、ＭＲ画像を使用する場合にだけ有効なパラメタである。
網制御装置１８は、電話回線網１（実際には１つの電話回線）と電話機が接続され、発着信を行うための回線制御を行うものである。
【００４０】
ネットワーク制御装置１９は、ＬＡＮ（ローカルエリアネットワーク）やインタネット等のＩＰネットワーク２が接続され、パケット化したデータをＩＰネットワーク２へ伝送したり、ＩＰネットワーク２からパケットを受信して、ＩＰネットワーク２側とのデータのやり取りを行うものである。
符号化復号部２０は、Ｔ．４に準拠した方式により、送信する画像データを符号化によりデータ圧縮を行う一方、受信した画像データを復号化して元の画像データを再生するものである。この符号化復号部２０が、符号化手段および復号化手段としての機能を果す。
【００４１】
〔受信機の構成〕
図９は受信機の構成例を示すブロック図であり、図１と対応する部分には同一符号を付している。
この受信機３０は、システム制御部３１，スキャナ３２，プロッタ３３，操作表示部３４，第１の記憶部３５，第２の記憶部３６，第３の記憶部３７，網制御装置３８，ネットワーク制御部３９，符号化復号部４０とを備え、それらをバス４５によって接続している。
【００４２】
システム制御部３１は、受信機３０全体を制御するマイクロコンピュータであり、所定のＦＡＸ通信の制御と、後述するこの発明に関わる制御を行う。
このシステム制御部３１（マイクロコンピュータ）を構成するＣＰＵが、ＲＯＭおよびＲＡＭ内のプログラムを実行し、網制御装置１８，ネットワーク制御装置１９，符号化復号部２０を含む機器を制御することにより、この発明に関わるアナログファクシミリ受信手段，ＩＰファクシミリ受信手段，結合手段，データ要求手段，復号化エラー検出手段，第１の再送信要求手段，および第２の再送信要求手段としての機能を果す。
【００４３】
スキャナ３２は、原稿の画像を画像データとして読み取るものである。
プロッタ３３は、画像データに基づいて画像を記録紙に記録するものである。
操作表示部３４は、機器の動作状態を表示する一方、オペレータが各種操作を行うものである。
第１の記憶部３５は、アナログＦＡＸ通信によって受信した１ページ当たりの符号化画像データを記憶する記憶部（第１の記憶手段）である。
【００４４】
第２の記憶部３６は、ＩＰ−ＦＡＸ通信によって受信した１ページ当たりの符号化画像データを記憶する記憶部（第２の記憶手段）である。
第３の記憶部３７は、ネゴシエーション結果として受信したＫパラメタを記憶する記憶部である。そのＫパラメタは、ＭＲ画像を使用する場合にだけ有効なパラメタである。
網制御装置３８は、電話回線網１と電話機が接続され、発着信を行うための回線制御を行うものである。
【００４５】
ネットワーク制御部３９は、ＩＰネットワーク２が接続され、パケット化したデータをＩＰネットワーク２へ伝送したり、ＩＰネットワーク２からパケットを受信して、ＩＰネットワーク２側とのデータのやり取りを行うものである。
符号化復号部４０は、Ｔ．４に準拠した方式により、送信する画像データを符号化によりデータ圧縮を行う一方、受信した画像データを復号化して元の画像データを再生するものである。この符号化復号部２０が、符号化手段および復号化手段としての機能を果す。
【００４６】
以下、このように構成された送信機１０および受信機３０によるこの発明に関わる部分の各実施例について、図１０〜図２４を参照して具体的に説明する。
（１）第１実施例
まず、第１実施例について、図１０〜図１３を参照して説明する。なお、この第１実施例は、図１，図３，図５によって説明した制御動作の具体例となる。
【００４７】
〔送信機１０と受信機３０との間の通信シーケンス〕
図１０は、図８の送信機１０と図９の受信機３０との間でやり取りするメッセージの通信シーケンスの第１例を示す図である。なお、実線で示す信号はＴ．３０に準拠した信号を、一点鎖線で示す信号はＨ．３２３に準拠した信号をそれぞれ示す。
【００４８】
送信機１０と受信機３０の各々は、アナログＦＡＸ通信とＩＰ−ＦＡＸ通信の両方をサポートすることにより、以下に示す制御動作を実現している。
送信機１０では、ユーザによる操作表示部３４上の操作（外部操作）によって発行される発呼要求（送信要求）を受け付けた後、アナログＦＡＸ制御部（実際にはその機能を実現するシステム制御部１１および網制御装置１８に相当する）とＩＰ−ＦＡＸ制御部（実際にはその機能を実現するシステム制御部１１およびネットワーク制御装置１９に相当する）が同時に発呼する（リンギング／ＳＹＮ（ＴＣＰ）の送信を行う）。発呼後は、非同期で動作する。
【００４９】
アナログＦＡＸ制御部は、ＩＰ−ＦＡＸ制御部による送信終了を待たずに、全ページ分の画像データの送信が完了した時点で、その送信を終了して電話回線を開放（切断）する。
なお、この第１実施例では、符号化方式として「ＭＭＲ方式」を使用するものとする。そのため、ネゴシエーション結果を「ＭＭＲ」とする。
【００５０】
〔送信機側の制御動作〕
図１１，図１２は、図８の送信機１０における制御動作の第１例を示すフローチャートである。なお、これらのフローチャートおよび以下で説明するフローチャートにおいて、各ステップを「Ｓ」と略記している。
【００５１】
送信機１０のシステム制御部１１は、ユーザ（利用者）による操作表示部３４上の操作によって発行される通信開始要求を検出することにより（Ｓ１０１）、網制御装置１８およびネットワーク制御装置１９を用いてステップＳ１０２以降の発呼処理を開始する。
ステップＳ１０１の通信開始要求の検出時には、送信先の端末である受信機３０の「ＩＰ−ＦＡＸの宛先情報」と「電話回線の電話番号」を受け付ける。
【００５２】
ステップＳ１０２では、利用者によって原稿台にセットされた原稿の画像（送信すべき文書）をスキャナ１２によって画像データとして（電子データ化して）読み取る。この例では、２ページ（２枚）の原稿の画像データを読み込む。
そして、読み取った２ページの画像データをページ毎にＭＭＲ方式で符号化する。各ページの符号化はライン単位で行い、一次元符号化した先頭ラインと二次元符号化した残りのラインに符号化データを２分割し、それぞれを第１の記憶部１５と第２の記憶部１６に記憶する（Ｓ１０３）。
ここから先は、最後までアナログＦＡＸ制御部とＩＰ−ＦＡＸ制御部で、非同期に動作する。
【００５３】
〔送信機側のアナログＦＡＸ制御部による制御動作〕
送信機１０のアナログＦＡＸ制御部を構成するシステム制御部１１は、網制御装置１８を用い、電話回線で発呼して受信機３０と呼を接続する。ここから電話料金が発生する（Ｓ１０４）。
次に、Ｔ．３０に準拠したプロトコルで、受信機３０と画像データの送信モードについてネゴシエーションする。この例では、ネゴシエーション結果は「ＭＭＲ」となる（Ｓ１０５）。
【００５４】
次に、文書の１ぺージ目の画像データとして、一次元符号化したページの先頭１ライン分の画像データを第１の記憶部１５から読み出して送信する（Ｓ１０６）。
次に、当該ページの画像データの終了と引き続き次ページが存在することを示すＴ．３０に準拠したメッセージＭＰＳを送信する（Ｓ１０７）。
その後、受信機３０から送られてくるＴ．３０に準拠したメッセージＭＣＦの受信待ちをする（Ｓ１０８）。ＭＣＦは、受信機３０が画像データを受信し、その画像データに問題がない旨を示すメッセージである。
【００５５】
そして、受信機３０から送られてくるＭＣＦを受信すると（Ｓ１０８のＹｅｓ）、文書の２ページ目の画像データとして一次元符号化したページの先頭１ライン分の画像データを第１の記憶部から読み出して送信する（Ｓ１１４）。
続いて、当該文書の終了を示すＴ．３０に準拠したメッセージＥＯＰを送信する（Ｓ１１５）。
【００５６】
その後、受信機３０から送られてくるＴ．３０に準拠したメッセージＭＣＦの受信待ちをする（Ｓ１１６）。
そして、ＭＣＦを受信すると（Ｓ１１６のＹｅｓ）、Ｔ．３０に準拠した手続きの終了を通知するＤＣＮを送信する（Ｓ１１７）。
ＤＣＮの送信後、速やかに電話回線を切断する（Ｓ１１８）。
【００５７】
〔送信機側のＩＰ−ＦＡＸ制御部による制御動作〕
送信機１０のシステム制御部１１は、ネットワーク制御装置１９を用い、Ｈ．３２３に準拠したメッセージＳｅｔｕｐを送信して、受信機３０が送信する同Ｃｏｎｎｅｃｔメッセージを受信する。これによって、送受信機１０，３０間でＴ．３８に準拠したチャネルが構築される（Ｓ１０９）。
【００５８】
次に、このチャネル上でＴ．３０に準拠したメッセージＤＩＳ，ＤＣＳを送受信して、画像データの送信モードについてネゴシエーションする。この例では、ネゴシエーション結果は「ＭＭＲ」となる（Ｓ１１０）。
次に、文書の１ぺージ目の画像データとして、二次元符号化した画像データを第２の記憶部１６から読み出して送信する（Ｓ１１１）。
次に、当該ページの画像データの終了と引き続き次ページが存在することを示すＴ．３０に準拠したメッセージＭＰＳを送信する（Ｓ１１２）。
その後、受信機３０から送られてくるＴ．３０に準拠したメッセージＭＣＦの受信待ちをする（Ｓ１１３）。ＭＣＦは、受信機３０が画像データを受信したことを示すメッセージである。
【００５９】
そして、受信機３０から送られてくるＭＣＦを受信すると（Ｓ１１３のＹｅｓ）、文書の２ページ目の画像データとして二次元符号化した画像データを第２の記憶部１６から読み出して送信する（Ｓ１１９）。
続いて、当該文書の終了を示すＴ．３０に準拠したメッセージＥＯＰを送信する（Ｓ１２０）。
【００６０】
その後、受信機３０から送られてくるＴ．３０に準拠したメッセージＭＣＦの受信待ちをする（Ｓ１２１）。
そして、ＭＣＦを受信すると（Ｓ１２１のＹｅｓ）、Ｔ．３０に準拠した手続きの終了を通知するＤＣＮを送信する（Ｓ１２２）。
ＤＣＮの送信後、Ｈ．３２３に準拠したメッセージＲｅｌｅａｓｅＣｏｍｐｌｅｔｅを送信してＨ．３２３に準拠した手続きを終了する（Ｓ１２３）。
【００６１】
〔受信機側の制御動作〕
図１３は、図９の受信機３０における制御動作の第１例を示すフローチャートである。
受信機３０のアナログＦＡＸ制御部とＩＰ−ＦＡＸ制御部は、双方が１文書分の画像データを受信完了するまでは非同期で平行動作する。
〔受信機側のアナログＦＡＸ制御部による制御動作〕
受信機３０のシステム制御部３１は、網制御装置１８を用い、電話回線で着信すると（Ｓ２０１のＹｅｓ）、回線を閉結して送信機１０と呼を接続する（Ｓ２０２）。
【００６２】
次に、Ｔ．３０に準拠したプロトコルで、送信機１０と画像データの送信モードについてネゴシエーションする。この例では、ネゴシエーション結果は「ＭＭＲ」となる（Ｓ２０３）。
次に、文書のページの画像データを受信し、これを第１の記憶部３５に記憶する（Ｓ２０４）。この画像データは、一次元符号化した画像データである。
次に、Ｔ．３０に準拠したポストメッセージ（ＭＰＳ，ＥＯＰなど）を受信すると（Ｓ２０５）、Ｔ．３０に準拠したメッセージＭＣＦを送信機１０へ送信する（Ｓ２０６）。
【００６３】
その後、ステップＳ２０５で受信したポストメッセージがＭＰＳであった場合、次に続くページデータの受信待ちをして、画像データを受信し、これを次ページの画像データとして第１の記憶部３５に記憶する（Ｓ２０４）。
ステップＳ２０５で受信したポストメッセージがＥＯＰであった場合には、ＤＣＮを受信してＴ．３０に準拠した手続きを終了し（Ｓ２１５）、電話回線を開放する（Ｓ２１９）。
【００６４】
〔受信機側のＩＰ−ＦＡＸ制御部による制御動作〕
受信機３０のシステム制御部３１は、ネットワーク制御装置１９を用い、Ｈ．３２３に準拠したＳｅｔｕｐ信号を受信すると（Ｓ２０８のＹｅｓ）、Ｈ．３２３に準拠したメッセージＣｏｎｎｅｃｔを送信する。これによって、送信機１０との間にＴ．３８に準拠したチャネルを接続する（Ｓ２０９）。
以降、このチャネル上でＴ．３０に準拠したメッセージを送受信する。
【００６５】
次に、Ｔ．３０に準拠したメッセージ（ＤＩＳ／ＤＣＳ）を送受信して、画像データの送信モードについてネゴシエーションする。この例では、ネゴシエーション結果は「ＭＭＲ」となる（Ｓ２２０）。
次に、文書のページの画像データを受信し、これを第２の記憶部３６に記憶する（Ｓ２１０）。この画像データは、二次元符号化した画像データである。
【００６６】
次に、Ｔ．３０に準拠したポストメッセージ（ＭＰＳ，ＥＯＰなど）を受信すると（Ｓ２１１）、Ｔ．３０に準拠したメッセージＭＣＦを送信機１０へ送信する（Ｓ２１２）。
その後、ステップＳ２１１で受信したポストメッセージがＭＰＳであった場合、次に続くページデータの受信待ちをして、画像データを受信し、これを次ページの画像データとして第２の記憶部３６に記憶する（Ｓ２１０）。
ステップＳ２１１で受信したポストメッセージがＥＯＰであった場合には、ＤＣＮを受信してＴ．３０に準拠した手続きを終了し（Ｓ２１４）、Ｈ．３２３に準拠したメッセージＲｅｌｅａｓｅＣｏｍｐｌｅｔｅを送信することでＨ．３２３に準拠した手続きを終了する（Ｓ２１６）。
【００６７】
アナログＦＡＸ通信とＩＰ−ＦＡＸ通信の両方で文書の全画像データを受信完了したところで、以下の処理を行う。
各ページの符号化データが一次元符号化部（ページの先頭１ライン）と二次元符号化部とに分割した状態でそれぞれ第１の記憶部３５と第２の記憶部３６に記憶されている。これらを結合して１ページ分の符号化データを再生（構成）する。そして、その再生した各ページのＭＭＲの符号化データを復号化する（Ｓ２１７）。
その後、復号化した全ページの画像データをプロッタ３３によって印刷出力させる（Ｓ２１８）。
【００６８】
このように、第１実施例によれば、送信機が、各ページの符号化画像データを２分割し、機密性の高いアナログファクシミリ通信によって復号化で重要な役割を持つ部分の画像データを送信し、通信速度が速いＩＰ−ＦＡＸ通信によって残りの大部分の画像データを送信することにより、ＩＰ−ＦＡＸ通信による利便性（高速通信および低通信費）を保ちつつ、アナログＦＡＸ通信による機密性（高セキュリティ）を保持することができる。
【００６９】
具体的には、画像データ（文書情報）の盗聴を防ぐために、その画像データを２分割して以下の（ａ）（ｂ）に示すように送信することにより、機密性が向上する。
（ａ）画像データの復号化で特に重要な部分の画像データは、アナログＦＡＸ通信により電話回線（ＰＳＴＮ）経由で送信する。この部分の情報量は、比較的少ない。
（ｂ）（ａ）に示した画像データ以外の残りの部分の画像データは、ＩＰ−ＦＡＸ通信によりＩＰネットワーク経由で送信する。
【００７０】
このようにすることで、ＩＰ−ＦＡＸ通信の長所である高利便性（高速通信および低通信費）の特徴を失うことなく、高機密性（高セキュリティ）を保つことができる。
特に、Ｔ．４に準拠したＭＭＲ方式で符号化した画像データを先頭１ライン（一次元符号化部分）と残りの部分（二次元符号化部分）とに分割して送信すると、（ａ）の復号化で重要になる部分はページの先頭１ラインであるため、アナログＦＡＸ通信で送信する画像データのデータ量は極めて少なくなり、機密性が更に向上する。
【００７１】
さらに、アナログＦＡＸ通信では、電話回線（公衆回線）を使用することにより、通信時間（接続時間）に応じて通話料金が課金されるため、アナログＦＡＸ制御部が、アナログＦＡＸ通信による画像データの送信が完了し次第、ＩＰ−ＦＡＸ制御部側の動作を待たずに（つまり非同期で）電話回線を切断することにより、通信料金（電話料金）を一層抑えることができ、より経済性を向上できる。
【００７２】
（２）第２実施例
次に、第２実施例について、図１４〜図２１を参照して説明する。なお、この第２実施例は、図１，図４〜図６によって説明した制御動作の具体例となる。
〔送信機１０と受信機３０との間の通信シーケンス〕
図１４は、図８の送信機１０と図９の受信機３０との間でやり取りするメッセージの通信シーケンスの第２例を示す図である。なお、図１０の実線で示す信号はＴ．３０に準拠した信号を、一点鎖線で示す信号はＨ．３２３に準拠した信号をそれぞれ示す。
【００７３】
送信機１０と受信機３０の各々は、アナログＦＡＸ通信とＩＰ−ＦＡＸ通信の両方をサポートすることにより、以下に示す制御動作を実現している。
送信機１０では、ユーザによる操作表示部３４上の操作によって発行される発呼要求を受け付けた後、アナログＦＡＸ制御部とＩＰ−ＦＡＸ制御部が同時に発呼する（リンギング／ＳＹＮ（ＴＣＰ）の送信を行う）。発呼後は、非同期で動作する。
【００７４】
なお、この第２実施例では、符号化方式として「ＭＲ方式」を使用するものとする。そのため、ネゴシエーション結果を「ＭＲ」とする。また、ＭＲ方式には付随するパラメタ「Ｋパラメタ値」がある。この値も、ネゴシエーション結果に含まれる。更に、「非ＥＣＭ」を使用するため、ネゴシエーション結果は「非ＥＣＭ」とする。ＥＣＭ／非ＥＣＭは画像データの送信方法に関係し、ページ再送には「非ＥＣＭ」を必須としている。
【００７５】
受信機３０では、受信したページの画像データの復号化に失敗した場合、復号化エラーを検出し、ＲＴＮを送信することで、そのページの画像データの再送信を要求する。つまり、結合した画像データ中の一次元符号化部分の復号化で復号化エラーを検出した場合は、その一次元符号化部分を含むページの画像データの再送信を送信機１０に対してアナログＦＡＸ通信によって要求する。結合した画像データ中の二次元符号化部分の復号化で復号化エラーを検出した場合は、その二次元符号化部分を含むページの画像データの再送信を送信機１０に対してＩＰ−ＦＡＸ通信によって要求する。
アナログＦＡＸ制御部とＩＰ−ＦＡＸ制御部は、各ページのＭＣＦの送信タイミングで同期を取る。つまり、Ｔ．３０では、ＥＯＰ−ＭＣＦ間は０．５秒以内と定められているが、これにとらわれずに同期をとる。
【００７６】
〔送信機側の制御動作〕
図１５〜図１７は、図８の送信機１０における制御動作の第２例を示すフローチャートである。
送信機１０のシステム制御部１１は、利用者による操作表示部３４上の操作によって発行される通信開始要求を検出することにより（Ｓ３０１）、網制御装置１８およびネットワーク制御装置１９を用いてステップＳ３０２以降の発呼処理を開始する。
【００７７】
ステップＳ３０１の通信開始要求の検出時には、送信先の端末である受信機３０の「ＩＰ−ＦＡＸの宛先情報」と「電話回線の電話番号」を受け付ける。
ステップＳ３０２では、利用者によって原稿台にセットされた原稿の画像（送信すべき文書）をスキャナ１２によって画像データとして読み取る。この例では、２ページの原稿の画像データを読み込む。
次に、ＭＲ符号化のＫパラメタ値を決定し、この値を第３の記憶部１７に記憶する（Ｓ３４０）。
【００７８】
そして、Ｋパラメタ値を使用し、読み取った２ページの画像データをページ毎にＭＲ方式で符号化する。各ページの符号化はライン単位で行い、一次元符号化したラインと二次元符号化したラインに符号化データを２分割し、それぞれを第１の記憶部１５と第２の記憶部１６に記憶する（Ｓ３０３）。なお、一次元符号化したラインの画像データ（アナログＦＡＸ通信によって通信する画像データ）と二次元符号化したラインの画像データ（ＩＰ−ＦＡＸ通信によって通信する画像データ）との分割比率は、符号化時に設定するＫパラメタ値に依存し、およそ１：１〜１：３になる。
ここから先は、最後までアナログＦＡＸ通信とＩＰ−ＦＡＸ通信によって、途中同期を取りながら平行動作する。
【００７９】
〔送信機側のアナログＦＡＸ制御部による制御動作〕
送信機１０のアナログＦＡＸ制御部を構成するシステム制御部１１は、網制御装置１８を用い、電話回線で発呼して受信機３０と呼を接続する。ここから電話料金が発生する（Ｓ３０４）。
【００８０】
次に、Ｔ．３０に準拠したプロトコルで、受信機３０と画像データの送信モードについてネゴシエーションする。この例では、ネゴシエーション結果は「ＭＲ」「非ＥＣＭモード」となる。これらのネゴシエーション結果に加えて、第３の記憶部１７内の「Ｋパラメタ値」を受信機３０へ通知する（Ｓ３０５）。
次に、文書の１ぺージ目の画像データとして、一次元符号化したラインデータを第１の記憶部１５から読み出して送信する（Ｓ３１２）。
【００８１】
次に、当該ページの画像データの終了と引き続き次ページが存在することを示すＴ．３０に準拠したメッセージＭＰＳを送信する（Ｓ３１３）。
次に、受信機３０から送られてくるＴ．３０に準拠したポストメッセージを受信する（Ｓ３０６）。
その後、受信したポストメッセージが「ＲＴＮ（再送信要求）」であった場合（Ｓ３１４の「ＲＴＮを受信」）、第１の記憶部１５から一次元符号化した１ページ目の画像データを読み出して再送信する（Ｓ３１２）。ステップＳ３１２の初回送信する画像データと再送信する画像データは、全く同じ画像データである。
【００８２】
受信したポストメッセージが「ＭＣＦ」であった場合（Ｓ３１４の「ＭＣＦを受信」）、ＩＰ−ＦＡＸ制御部によるページ送信の進捗具合と同期を取る。具体的には、ＩＰ−ＦＡＸ制御部で１ページ目の画像データ送信に対するＭＣＦメッセージの受信を待って、ステップＳ３１８以降の処理へ進み、１ページ目の処理と略同じ内容の処理を行う。
ステップＳ３１８では、文書の２ぺージ目の画像データとして、一次元符号化したラインデータを第１の記憶部１５から読み出して送信する。
【００８３】
次に、当該ページの画像データの終了と以上で全ページ送信完了したことを示すＴ．３０に準拠したメッセージＥＯＰを送信する（Ｓ３１９）。
次に、受信機３０から送られてくるＴ．３０に準拠したポストメッセージを受信する（Ｓ３０７）。
その後、受信したポストメッセージが「ＲＴＮ（再送信要求）」であった場合(Ｓ３２０の「ＲＴＮを受信」)、第１の記憶部１５から一次元符号化した２ページ目の画像データを読み出して再送信する（Ｓ３１８）。ステップＳ３１８の初回送信する画像データと再送信する画像データは、全く同じ画像データである。
【００８４】
受信したポストメッセージが「ＭＣＦ」であった場合（Ｓ３２０の「ＭＣＦを受信」）、ＩＰ−ＦＡＸ制御部によるページ送信の進捗具合と同期を取る。具体的には、ＩＰ−ＦＡＸ制御部で２ページ目の画像データ送信に対するＭＣＦメッセージの受信を待って、ステップＳ３２４以降の処理へ進む。
ステップＳ３２４では、Ｔ．３０の手続きの終了を通知するＤＣＮを送信する。
ＤＣＮの送信後、電話回線を切断する（Ｓ３２５）。
【００８５】
〔送信機側のＩＰ−ＦＡＸ制御部による制御動作〕
送信機１０のシステム制御部１１は、ネットワーク制御装置１９を用い、Ｈ．３２３に準拠したメッセージＳｅｔｕｐを送信して、受信機３０が送信する同Ｃｏｎｎｅｃｔメッセージを受信する。これによって、送受信機１０，３０間でＴ．３８に準拠したチャネルが構築される（Ｓ３０８）。このチャネル上でＴ．３０に準拠したメッセージを送受信する。
【００８６】
次に、Ｔ．３０に準拠したプロトコルで、受信機３０と画像データの送信モードについてネゴシエーションする。この例では、ネゴシエーション結果は「ＭＲ」「非ＥＣＭモード」となる。これらのネゴシエーション結果に加えて、第３の記憶部１７の「Ｋパラメタ値」を受信機３０へ通知する（Ｓ３０９）。
次に、文書の１ぺージ目の画像データとして、二次元符号化したラインデータを第２の記憶部１６から読み出して送信する（Ｓ３１５）。
【００８７】
次に、当該ページの画像データの終了と引き続き次ページが存在することを示すＴ．３０に準拠したメッセージＭＰＳを送信する（Ｓ３１６）。
次に、受信機３０から送られてくるＴ．３０に準拠したポストメッセージを受信する（Ｓ３１０）。
その後、受信したポストメッセージが「ＲＴＮ（再送信要求）」であった場合（Ｓ３１７の〔ＲＴＮを受信〕）、第２の記憶部１６から二次元符号化した１ページ目の画像データを読み出して再送信する（Ｓ３１５）。ステップＳ３１５の初回送信する画像データと再送信する画像データは、全く同じ画像データである。
【００８８】
受信したポストメッセージが「ＭＣＦ」であった場合（Ｓ３１７の「ＭＣＦを受信」）、アナログＦＡＸ制御部によるページ送信の進捗具合と同期を取る。具体的には、アナログＦＡＸ制御部で１ページ目の画像データ送信に対するＭＣＦメッセージの受信を待って、ステップＳ３２１以降の処理へ進み、１ページ目の処理と略同じ内容の処理を行う。
ステップＳ３２１では、文書の２ぺージ目の画像データとして、二次元符号化したラインデータを第２の記憶部１６から読み出して送信する。
【００８９】
次に、当該ページの画像データの終了と以上で全ページ送信完了したことを示すＴ．３０に準拠したメッセージＥＯＰを送信する（Ｓ３２２）。
次に、受信機３０から送られてくるＴ．３０に準拠したポストメッセージを受信する（Ｓ３１１）。
その後、受信したポストメッセージが「ＲＴＮ（再送信要求）」であった場合（Ｓ３２３の「ＲＴＮを受信」）、第２の記憶部１６から二次元符号化した２ページ目の画像データを読み出して再送信する（Ｓ３２１）。ステップＳ３２１の初回送信する画像データと再送信する画像データは、全く同じ画像データである。
【００９０】
受信したポストメッセージが「ＭＣＦ」であった場合（Ｓ３２３の「ＭＣＦを受信」）、アナログＦＡＸ制御部によるページ送信の進捗具合と同期を取る。具体的には、アナログＦＡＸ制御部で２ページ目の画像データ送信に対するＭＣＦメッセージの受信を待って、ステップＳ３２６以降の処理へ進む。
ステップＳ３２６では、Ｔ．３０の手続きの終了を通知するＤＣＮを送信する。
次に、Ｈ．３２３に準拠したメッセージＲｅｌｅａｓｅＣｏｍｐｌｅｔｅを送信してＨ．３２３に準拠した手続きを終了する（Ｓ３２７）。
【００９１】
〔受信機側の制御動作〕
図１８〜図２０は、図９の受信機３０における制御動作の第２例を示すフローチャートである。
受信機３０のアナログＦＡＸ制御部とＩＰ−ＦＡＸ制御部は、双方が１文書分の画像データを受信完了するまでは非同期で平行動作する。
【００９２】
〔受信機側のアナログＦＡＸ制御部とＩＰ−ＦＡＸ制御部による制御動作〕
受信機３０のシステム制御部３１は、網制御装置１８を用い、電話回線で着信すると（Ｓ４０１のＹｅｓ）、回線を閉結して送信機１０と呼を接続する（Ｓ４０２）。
Ｔ．３０に準拠したプロトコルで、送信機１０と画像データの送信モードについてネゴシエーションする。この例では、ネゴシエーション結果は「ＭＲ」「Ｋパラメタ値」「非ＥＣＭ」となる（Ｓ４０３）。
【００９３】
次に、文書の１ページ目の画像データを受信し、これを第１の記憶部３５に記憶する（Ｓ４０４）。この画像データは、一次元符号化した画像データである。
その後、ＩＰ−ＦＡＸ制御部と同期をとるため、そのＩＰ−ＦＡＸ制御部と共に、Ｔ．３０に準拠したＭＰＳを受信するのを待つ（Ｓ４０５）。なお、当該ページが文書の最終ページである場合には、Ｔ．３０に準拠したＥＯＰを受信するのを待つことになる。
【００９４】
一方、ネットワーク制御装置１９を用い、Ｈ．３２３に準拠したＳｅｔｕｐ信号を受信すると（Ｓ４０６のＹｅｓ）、Ｈ．３２３に準拠したメッセージＣｏｎｎｅｃｔを送信する。これによって、送信機１０との間にＴ．３８に準拠したチャネルを接続する（Ｓ４０７）。
次に、このチャネル上でＴ．３０に準拠したメッセージ（ＤＩＳ／ＤＣＳ）を送受信して、画像データの送信モードについてネゴシエーションする。この例では、ネゴシエーション結果は「ＭＲ」「Ｋパラメタ値」「非ＥＣＭ」となる（Ｓ４０８）。
【００９５】
次に、文書の１ページ目の画像データを受信し、これを第２の記憶部３６に記憶する（Ｓ４０９）。この画像データは、二次元符号化した画像データである。
その後、アナログＦＡＸ制御部と同期をとるため、そのアナログＦＡＸ制御部と共に、Ｔ．３０に準拠したＭＰＳを受信するのを待つ（Ｓ４１０）。なお、当該ページが文書の最終ページである場合には、Ｔ．３０に準拠したＥＯＰを受信するのを待つことになる。
【００９６】
受信機３０のシステム制御部３１は、アナログＦＡＸ制御部を構成する網制御装置１８およびＩＰ−ＦＡＸ制御部を構成するネットワーク制御装置１９の両方でＴ．３０に準拠したＭＰＳの受信を待ち（Ｓ４０５，Ｓ４１０）、そのＭＰＳを受信すると、１ページ目の符号化データが一次元符号化部と二次元符号化部とに分割した状態でそれぞれ第１の記憶部３５と第２の記憶部３６に記憶されているため、これらをＫパラメタ値に基づいて結合して１ページ分の符号化データを再生する（Ｓ４１１）。
次に、その再生した１ページ目のＭＲの符号化データを復号化する復号化処理を行う（Ｓ４１２）。この処理については、後述する。
【００９７】
そして、この復号化処理の結果をチェックし、復号化処理が成功したと判定した場合には（Ｓ４１３）、網制御装置１８およびネットワーク制御装置１９を用い、それぞれ非同期で以下の処理を行う。つまり、Ｔ．３０に準拠したメッセージＭＣＦを送信機１０へ送信し（Ｓ４１８，Ｓ４２０）、それらの送信に対してそれぞれ送られてくる文書の２ページ目の画像データを受信して第１の記憶部３５，第２の記憶部３６に記憶し（Ｓ４１９，Ｓ４２１）、以後１ページ目と略同様の処理を行う。この場合は、ＭＰＳではなくＥＯＰを受信するのを待つ。
その後、網制御装置１８を用いたＴ．３０に準拠したメッセージＭＣＦの送信機１０への送信に対して（Ｓ４２２）、ＤＣＮを受信してＴ．３０に準拠した手続きを終了し（Ｓ４２３）、電話回線を開放する（Ｓ４２７）。
【００９８】
また、ネットワーク制御装置１９を用いたＴ．３０に準拠したメッセージＭＣＦの送信機１０への送信に対して（Ｓ４２４）、ＤＣＮを受信してＴ．３０に準拠した手続きを終了し（Ｓ４２５）、Ｈ．３２３に準拠したメッセージＲｅｌｅａｓｅＣｏｍｐｌｅｔｅを送信することでＨ．３２３に準拠した手続きを終了する（Ｓ４２６）。
網制御装置１８を用いた電話回線の開放とネットワーク制御装置１９を用いたＨ．３２３に準拠した手続きの終了により、復号化した全ページの画像データをプロッタ３３によって印刷出力させる（Ｓ４３０）。
【００９９】
一方、ステップＳ４１３の復号化処理の結果をチェックで復号化処理が失敗したと判定した場合には、復号化エラーを検出し、ＲＴＮを送信することで、そのページの画像データの再送信を要求する。
すなわち、結合した画像データ中の一次元符号化部分の復号化で復号化エラーを検出した場合には、その一次元符号化部分を含むページの画像データの再送信を要求するＲＴＮ信号を網制御装置１８を用いて送信機１０へ送信する（Ｓ４１４）。
それによって、送信機１０から送られてくる該当ページの再送画像データ（一次元符号化部分）を受信し、これを第１の記憶部３５に記憶した後（Ｓ４１５）、ＩＰ−ＦＡＸ制御部と共に、Ｔ．３０に準拠したＭＰＳを受信するのを待つ（Ｓ４２８）
【０１００】
また、結合した画像データ中の二次元符号化部分の復号化で復号化エラーを検出した場合は、その二次元符号化部分を含むページの画像データの再送信を要求するＲＴＮ信号をネットワーク制御装置１９を用いて送信機１０へ送信する（Ｓ４１６）。
それによって、送信機１０から送られてくる該当ページの再送画像データ（二次元符号化部分）を受信し、これを第２の記憶部３６に記憶した後（Ｓ４１７）、アナログＦＡＸ制御部と共に、Ｔ．３０に準拠したＭＰＳを受信するのを待つ（Ｓ４２９）。
その後、網制御装置１８およびネットワーク制御装置１９の両方でＴ．３０に準拠したＭＰＳを受信すると（Ｓ４２８，Ｓ４２９）、ステップＳ４１１へ戻り、上述と同様の処理を行う。
【０１０１】
図２１は、図１９のステップＳ４１２の復号化処理のサブルーチンの一例を示すフローチャートである。
受信機３０のシステム制御部３１は、まず図１９のステップＳ４１１で再生した当該ページの先頭ラインである一次元符号化ラインの画像データ（一次元符号化部分）を復号化する処理を行った後（Ｓ５０１）、その復号化処理の結果をチェックし（Ｓ５０２）、その復号化処理が成功したと判定した場合に、以下の処理を行う。
【０１０２】
すなわち、Ｋパラメタを使用して、当該ページの上記一次元符号化ライン（先頭ライン）の後に連続して続く各二次元符号化ラインの画像データ（二次元符号化部分）を復号化する処理を行った後（Ｓ５０３）、その復号化処理の結果をチェックし（Ｓ５０４）、その復号化処理も成功したと判定した場合に、当該ページの全ラインの画像データの復号化処理が完了したか否かを判断し（Ｓ５０５）、まだ完了していない場合には、当該ページの上記各二次元符号化ラインの後に続く一次元符号化ラインの画像データを復号化する処理を行った後（Ｓ５０６）、ステップＳ５０２へ戻り、上述と同様の処理をステップＳ５０５で当該ページの全ラインの画像データの復号化処理が完了したと判定するまで繰り返し行う。
【０１０３】
このように、第２実施例によれば、画像データをＴ．４に準拠したＭＲ方式で符号化する点が第１実施例と異なるものの、第１実施例と略同様の効果を得ることができる。
また、ページ毎に送信機と受信機で同期して画像データを送受信することにより、Ｔ．３０に従って通信エラー等の様々な異常動作にも対応できる。つまり、受信機側が、受信した画像データの復号化で復号化エラーが発生した場合に、Ｔ．３０に準拠したプロトコル上でリカバリを行う（Ｔ．３０に準拠したプロトコルに従ってエラーになった画像データの再送信を要求する）ことにより、回線品質等に起因して発生する画像化け等の通信エラーに対応でき、通信の信頼性を向上できる。なお、従来、ＦＡＸ通信では回線（ＰＳＴＮ、ＩＰネットワークのいずれも）の品質が影響して、送信した画像データの一部が消えたり化けたりすることがあった。この場合、受信機では復号化エラーになる画像を復号化できない。
【０１０４】
（３）第３実施例
次に、第３実施例について、図２２〜図２４を参照して説明する。なお、この第３実施例は、図７によって説明した制御動作の具体例となる。
〔送信機１０と受信機３０との間の通信シーケンス〕
図２２〜図２４は、図８の送信機１０と図９の受信機３０との間でやり取りするメッセージの通信シーケンスの第３例を示す図である。
【０１０５】
送信機１０と受信機３０の各々は、アナログＦＡＸ通信とＩＰ−ＦＡＸ通信の両方をサポートすることにより、以下に示す制御動作を実現している。
アナログＦＡＸ制御部とＩＰ−ＦＡＸ制御部は、非同期で動作して、前者では一次元符号化した画像データを送受信し、後者では二次元符号化した画像データを送受信する。
送信機１０では、スキャンして読み取った文書（２ページ）の画像データをＴ．４に準拠した方式で符号化して、これを一次元符号化部分と二次元符号化部分に２分割し、それぞれアナログＦＡＸ通信とＩＰ−ＦＡＸ通信によって送信する。
【０１０６】
受信機３０では、両方の回線で文書の受信が完了した時点で２つの画像データを結合して復号化する。
以上の点は、既に前に記している各実施例の内容と同じである。
ここでのポイントになる部分は、アナログＦＡＸとＩＰ−ＦＡＸの通信の中にある。これについて、以下に記す。
【０１０７】
〔送信機１０と受信機３０との間のアナログＦＡＸの通信シーケンス〕
図２２は、図８の送信機１０と図９の受信機３０との間でアナログＦＡＸ通信によってやり取りするメッセージの通信シーケンスの一例を示す図である。なお、破線で示す信号は電話回線制御用の信号を、実線で示す信号はＴ．３０に準拠した信号をそれぞれ示す。
【０１０８】
発呼機である送信機１０では、利用者による操作表示部３４上の操作によって発行される発呼要求（文書の送信要求）を受け付けると、アナログＦＡＸ制御部が電話回線を閉結して宛先番号を交換機へ発信する。交換機は、着呼機である受信機３０を呼び出す（リンギング）。
受信機３０のアナログＦＡＸ制御部は、呼び出しを受けて、自動的に回線を開閉する機器が回線を閉結する。
【０１０９】
その後、Ｔ．３０に準拠したプロトコルを使用して、送信機１０と受信機３０との間で画像データの送信モードを決定する。
その後、送信機１０では、一次元符号化したページの画像データを、アナログＦＡＸ制御によって文書のページ番号の順に送信する。
そして、全３ページ送信し終えたところで、ＤＣＮを送信してＴ．３０に準拠したプロトコルを終了させ、電話回線を開放する。
受信機３０との間でページの順序の認識合わせは、Ｈ．２２５に準拠した論理チャネル番号を利用する。
なお、アナログＦＡＸ制御部とＩＰ−ＦＡＸ制御部は、非同期動作でよい。
【０１１０】
〔送信機１０と受信機３０との間のＩＰ−ＦＡＸの通信シーケンス〕
図２３，図２４は、図８の送信機１０と図９の受信機３０との間でＩＰ−ＦＡＸ通信によってやり取りするメッセージの通信シーケンスの一例を示す図である。なお、一点鎖線で示す信号はＨ．３２３に準拠した信号を、破線で示す信号はＨ．２４５に準拠した信号を、実線で示す信号はＴ．３０，Ｔ．３８に準拠した信号をそれぞれ示す。
【０１１１】
発呼機である送信機１０では、利用者による操作表示部３４上の操作によって発行される発呼要求（文書の送信要求）を受け付けると、ＩＰ−ＦＡＸ制御部がＩＰネットワーク通信でＨ．３２３に準拠した手続きに沿って発呼する（Ｓｅｔｕｐメッセージを送信する）。
着呼機である受信機３０のＩＰ−ＦＡＸ制御部は、Ｈ．３２３に準拠した着呼に応じてＣｏｎｎｅｃｔメッセージで応答する。
送信機１０のＩＰ−ＦＡＸ制御部は、その応答により、受信機３０との間でのＨ．２４５に準拠した手続きの中でＴ．３８に準拠したチャネルを構築する。
【０１１２】
ここで、Ｔ．３８に準拠したチャネルについて、もう少し詳しく説明する。
送信機１０のＩＰ−ＦＡＸ制御部は、次に送信するページのページ番号に該当する論理チャネル番号でＴ．３８に準拠したチャネルをオープンする。つまり、ＯｐｅｎＬｏｇｉｃａｌＣｈａｎｎｅｌメッセージに論理チャネル番号を添えて送信する。このメッセージに対するＡｃｋメッセージが受信機３０から返ったところで、Ｔ．３８に準拠したチャネルが構築されたことになる。
オープンしたチャネルは、ＣｌｏｓｅＬｏｇｉｃａｌＣｈａｎｎｅｌメッセージ（クローズ対象の論理チャネル番号付き）を使用してクローズする。
【０１１３】
Ｔ．３８に準拠したチャネルは、以下に示す２つのチャネルをセットで構築する。
（１）送信機１０から受信機３０へデータを流すためのチャネル
このチャネルをオープンすることにより、Ｔ．３０に準拠したメッセージと画像データを流すことができる。この場合の論理チャネル番号の採番は、送信機１０が行う。
（２）受信機３０から送信機１０へデータを流すためのチャネル
このチャネルをオープンすることにより、Ｔ．３０に準拠したメッセージを流すことができる。この場合の論理チャネル番号の採番は、受信機３０が行う。
【０１１４】
（１）のチャネルは送信機１０が主導して構築し、（２）のチャネルは受信機３０が主導して構築する。
チャネルには、その通信内で一意の論理チャネル番号を割り当てる。論理チャネル番号も主導する端末が採番する。
このようにすることで、送信機１０と受信機３０は論理チャネル番号を使用して互いに平行構築された複数のチャネルを識別する。
構築したＴ．３８に準拠したデータチャネルを通してＴ．３０に準拠したプロトコルメッセージをやり取りする。
【０１１５】
ここでポイントになるのは、送信機１０が構築する（１）のチャネルで、このチャネルの論理チャネル番号の意味である。以降、（１）のチャネルについてのみ論じる。
第３実施例では、送信機１０のＩＰ−ＦＡＸ制御部が、最初に構築するＴ．３８に準拠したデータチャネルの論理チャネル番号として「３」を採番する。この番号「３」は、このデータチャネルで送信する画像データの文書中のページ番号も同時に示している。
【０１１６】
そして、構築した当該Ｔ．３８に準拠したデータチャネル上でＤＩＳおよびＤＣＳをやり取りして、受信機３０との間で画像データの送信モードを決定し、一次元符号化した３ページ目の二次元符号化部分の画像データを受信機３０へ送信する。
その後、受信機３０から画像データを受信完了したことを示すＭＣＦを受信すると、当該Ｔ．３８に準拠したデータチャネルをクローズする（ＣｌｏｓｅＬｏｇｉｃａｌＣｈａｎｎｅｌ（ＬＣＮ＝３））。
【０１１７】
次いで、次のページの画像データを送信するためのＴ．３８に準拠したデータチャネルを構築する（ＯｐｅｎＬｏｇｉｃａｌＣｈａｎｎｅｌ（ＬＣＮ＝１））。このデータチャネルでは、文書中の１ページ目の画像データを送信しようとしているため、論理チャネル番号として「１」を採番する。
そして、構築したＴ．３８に準拠したデータチャネルで１ページ目の二次元符号化部分の画像データを受信機３０へ送信する。
【０１１８】
その後、受信機３０から画像データを受信完了したことを示すＭＣＦを受信すると、当該Ｔ．３８に準拠したデータチャネルをクローズする（ＣｌｏｓｅＬｏｇｉｃａｌＣｈａｎｎｅｌ（ＬＣＮ＝１））。
続いて、次のページの画像データを送信するためのＴ．３８に準拠したデータチャネルを構築する（ＯｐｅｎＬｏｇｉｃａｌＣｈａｎｎｅｌ（ＬＣＮ＝２））。このデータチャネルでは、文書中の２ページ目の画像データを送信しようとしているため、論理チャネル番号として「２」を採番する。
【０１１９】
そして、構築したＴ．３８に準拠したデータチャネルで２ページ目の二次元符号化部分の画像データを受信機３０へ送信する。
その後、受信機３０から画像データを受信完了したことを示すＭＣＦを受信すると、以上で文書の全ページデータを送信し終えているので、Ｔ．３０に準拠した手続きの終了を通知するメッセージであるＤＣＮを送信して、当該Ｔ．３８に準拠したデータチャネルをクローズする（ＣｌｏｓｅＬｏｇｉｃａｌＣｈａｎｎｅｌ（ＬＣＮ＝２））。
最後に、Ｈ．３２３に準拠したＲｅｌｅａｓｅＣｏｍｐｌｅｔｅメッセージを受信機３０へ送信して、Ｈ．３２３に準拠した手続きを終了する。
【０１２０】
このように、第２実施例によれば、第１又は第２実施例と同様の効果を得ることができる。
また、電話回線（アナログＦＡＸ通信）からの盗聴は、ＩＰネットワーク（ＩＰ−ＦＡＸ通信）からの盗聴と比較すると容易ではないが、あり得るため、ＩＰ−ＦＡＸ通信によって送受信するページ（画像データ）の順番を、当該文書のページ番号とは無関係に任意の順番とすることにより、電話回線とＩＰネットワークの両方で盗聴されているケースでも、画像データの盗み見を防ぐことができ、機密性が向上できる。
【０１２１】
以上の実施形態では、この発明による通信装置の例としてアナログＦＡＸ通信とＩＰ−ＦＡＸ通信とが可能なＭＦＰについて説明したが、この発明はこれに限られるものではなく、その各通信が可能なファクシミリ装置やデジタル複写機等の他の画像形成装置には勿論、上記各通信が可能なネットワーク家電，自動販売機，医療機器，電源装置，空調システム，ガス・水道・電気等の計量システム等，ＡＶ機器，遊戯機器などや、ネットワークに接続可能なコンピュータ等も含め、上記各通信が可能な各種通信装置に適用可能である。
【０１２２】
〔この発明に関わるプログラム〕
このプログラムは、通信装置を制御するＣＰＵ（コンピュータ）に、この発明に関わる機能である分割手段，宛先情報受付手段，アナログファクシミリ送信手段，およびＩＰファクシミリ送信手段，アナログファクシミリ受信手段，ＩＰファクシミリ受信手段，結合手段，データ要求手段，復号化エラー検出手段，第１の再送信要求手段，および第２の再送信要求手段としての機能を実現させるためのプログラムであり、このようなプログラムをＣＰＵに実行させることにより、上述したような効果を得ることができる。
【０１２３】
このようなプログラムは、はじめから通信装置に備えるＲＯＭ、あるいは不揮発性メモリ（フラッシュＲＯＭ，ＥＥＰＲＯＭ等）、あるいはＨＤＤ（ハードディスク装置）などの記憶手段に格納しておいてもよいが、記録媒体であるＣＤ−ＲＯＭ、あるいはメモリカード，フレキシブルディスク，ＭＯ，ＣＤ−Ｒ，ＣＤ−ＲＷ，ＤＶＤ＋Ｒ，ＤＶＤ＋ＲＷ，ＤＶＤ−Ｒ，ＤＶＤ−ＲＷ，又はＤＶＤ−ＲＡＭ等の不揮発性記録媒体（メモリ）に記録して提供することもできる。それらの記録媒体に記録されたプログラムを通信装置にインストールしてＣＰＵに実行させるか、ＣＰＵにそれらの記録媒体からこのプログラムを読み出して実行させることにより、上述した各手順を実行させることができる。
さらに、ネットワークに接続され、プログラムを記録した記録媒体を備える外部機器あるいはプログラムを記憶手段に記憶した外部機器からダウンロードして実行させることも可能である。
【産業上の利用可能性】
【０１２４】
以上の説明から明らかなように、この発明によれば、ＦＡＸ通信を行う場合の機密性と利便性を同時に向上させることができる。よって、高機密性と高利便性を同時に実現できる通信装置を提供できる。
【図面の簡単な説明】
【０１２５】
【図１】この発明の概要を説明するための概念図である。
【図２】Ｔ．４に準拠した方式であるＭＭＲ方式およびＭＲ方式による画像データの符号化と復号化を説明するための図である。
【図３】Ｔ．４に準拠した方式の一つであるＭＭＲ方式によって符号化した画像データの分割と結合を説明するための図である。
【図４】Ｔ．４に準拠した方式の一つであるＭＲ方式によって符号化した画像データの分割と結合を説明するための図である。
【図５】図１の送信機１０が上述したアナログＦＡＸ通信およびＩＰ−ＦＡＸ通信の両方で同期して複数ページ（この例では２ページ）の画像データをページ毎に受信機３０へ送信する場合の通信シーケンスの一例を示す図である。
【０１２６】
【図６】図１の送信機１０が受信機３０で復号化エラーが発生した場合に同一の画像データを受信機３０へ再送信する場合の通信シーケンスの一例を示す図である。
【図７】図１の送信機１０がＩＰ−ＦＡＸ通信によって送信する画像データのページ番号とＨ．２２５に準拠した論理チャネル番号との対応付けを説明するための図である。
【図８】この発明による通信装置の一実施形態である送信機の構成例を示すブロック図である。
【図９】この発明による通信装置の一実施形態である受信機の構成例を示すブロック図である。
【図１０】図８の送信機１０と図９の受信機３０との間でやり取りするメッセージの通信シーケンスの第１例を示す図である。
【０１２７】
【図１１】図８の送信機１０における制御動作の第１例を示すフロー図である。
【図１２】その制御動作の続きを示すフロー図である。
【図１３】図９の受信機３０における制御動作の第１例を示すフロー図である。
【図１４】図８の送信機１０と図９の受信機３０との間でやり取りするメッセージの通信シーケンスの第２例を示す図である。
【図１５】図８の送信機１０における制御動作の第２例を示すフロー図である。
【０１２８】
【図１６】その制御動作の続きを示すフロー図である。
【図１７】その制御動作の続きを示すフロー図である。
【図１８】図９の受信機３０における制御動作の第２例を示すフロー図である。
【図１９】その制御動作の続きを示すフロー図である。
【図２０】その制御動作の続きを示すフロー図である。
【０１２９】
【図２１】図１９のステップＳ４１２の復号化処理のサブルーチンの一例を示すフロー図である。
【図２２】図８の送信機１０と図９の受信機３０との間でアナログＦＡＸ通信によってやり取りするメッセージの通信シーケンスの一例を示す図である。
【図２３】図８の送信機１０と図９の受信機３０との間でＩＰ−ＦＡＸ通信によってやり取りするメッセージの通信シーケンスの一例を示す図である。
【図２４】その続きの通信シーケンスを示す図である。
【符号の説明】
【０１３０】
１：電話回線網    ２：ＩＰネットワーク    １０：送信機
１１，３１：システム制御部    １２，３２：スキャナ    １３，３３：プロッタ
１４，３４：操作表示部    １５，３５：第１の記憶部    １６，３６：第２の記憶部
１７，３７：第３の記憶部    １８，３８：網制御装置
１９：３９：ネットワーク制御装置    ２０，４０：符号化復号部    ２５，４５：バス
３０：受信機
【図１】
2010141614.tif 000003
【図２】
2010141614.tif 000004
【図３】
2010141614.tif 000005
【図４】
2010141614.tif 000006
【図５】
2010141614.tif 000007
【図６】
2010141614.tif 000008
【図７】
2010141614.tif 000009
【図８】
2010141614.tif 000010
【図９】
2010141614.tif 000011
【図１０】
2010141614.tif 000012
【図１１】
2010141614.tif 000013
【図１２】
2010141614.tif 000014
【図１３】
2010141614.tif 000015
【図１４】
2010141614.tif 000016
【図１５】
2010141614.tif 000017
【図１６】
2010141614.tif 000018
【図１７】
2010141614.tif 000019
【図１８】
2010141614.tif 000020
【図１９】
2010141614.tif 000021
【図２０】
2010141614.tif 000022
【図２１】
2010141614.tif 000023
【図２２】
2010141614.tif 000024
【図２３】
2010141614.tif 000025
【図２４】
2010141614.tif 000026